(57)【要約】【課題】良好な組立性を確保し確実な防水性を得ることができ修理等のための分解及び組み立てを容易とする構成の折れ止め部を備えた内視鏡用撮像装置を提供する。【解決手段】撮像ユニット１０と撮像ユニットから延出する信号ケーブル１９とを備えると共に信号ケーブルの延出部位近傍に設けられ信号ケーブルを保護するケーブル保護部材２７を有する内視鏡用撮像装置３において、ケーブル保護部材は内面においては信号ケーブルの外皮２１の表面上に直接密着するように成型され、外面においては内視鏡用撮像装置の外装部材３０との間に水密シールをおこなうフランジ凸部２７ａを介して接続されかつ信号ケーブルの先端側を所定の長さだけ突出させて成型されており、信号ケーブルの先端突出部位の外表面上にはケーブルシールド層２２と金属部材２３とが設けられ、ケーブルシールド層及び金属部材は内視鏡用撮像装置側の金属部材１７との間で導通するように構成する。【選択図】図２
2006130238.tif 000002
【特許請求の範囲】
【請求項１】
撮像ユニットと前記撮像ユニットから延出する信号ケーブルとを備えると共に前記信号ケーブルの延出部位近傍に設けられ前記信号ケーブルを保護するケーブル保護部材を有する内視鏡用撮像装置において、
前記ケーブル保護部材は、内面においては前記信号ケーブルの外皮の表面上に直接密着するように成型され、外面においては当該内視鏡用撮像装置の外装部材との間に水密シール部を介して接続され、かつ前記信号ケーブルの先端側を所定の長さだけ突出させて成型されており、
前記信号ケーブルの前記先端突出部位の外表面上には、ケーブルシールド層と金属部材とが設けられ、
前記ケーブルシールド層及び前記金属部材は、当該内視鏡用撮像装置側の金属部材との間で導通するように構成されていることを特徴とする内視鏡用撮像装置。
【請求項２】
前記ケーブル保護部材はエラストマー材料からなることを特徴とする請求項１に記載の内視鏡用撮像装置。
【請求項３】
前記ケーブル保護部材は、前記ケーブルシールド層に導通する前記金属部材を金型の一部として成型されていることを特徴とする請求項１に記載の内視鏡用撮像装置。
【請求項４】
前記ケーブル保護部材は、前記信号ケーブルと略一体的に成型されていることを特徴とする請求項１に記載の内視鏡用撮像装置。
【発明の詳細な説明】
【技術分野】
【０００１】
この発明は、内視鏡用撮像装置、詳しくは内視鏡接眼部に接続して電子的な内視鏡画像を得る撮像ユニットを備えた内視鏡用撮像装置に関するものである。
【背景技術】
【０００２】
従来より、細長の挿入部を体腔内に挿入することにより、体腔内臓器などを観察したり、必要に応じて処置具チャンネル内に挿通した処置具を用いて各種治療処置をおこなうことのできる医療用の内視鏡装置が広く利用されている。
【０００３】
このような内視鏡装置における内視鏡像の観察手段としては、例えば手元側操作部等に設けられる内視鏡接眼部から肉眼で直接観察する手段や、この内視鏡接眼部に内視鏡用撮像装置を取り付けて、この内視鏡用撮像装置によって得られる電子的な画像信号を表示装置へと伝送し、その表示部を用いて内視鏡画像を表示する手段がある。
【０００４】
この内視鏡用撮像装置は、内視鏡接眼部からの内視鏡像を受けて電気信号に変換する撮像素子を具備するカメラヘッド部と、このカメラヘッド部によって得られる電気信号を処理して形成した映像信号を表示装置へと出力するカメラ制御部とによって構成されている。この場合において、カメラヘッド部の後端部から延出する信号ケーブルは、コネクタを介してカメラ制御部に接続されることで、カメラヘッド部とカメラ制御部とが電気的に接続されている。
【０００５】
内視鏡用撮像装置を内視鏡装置に取り付けて観察等をおこなっている際には、上記カメラヘッド部から信号ケーブルが延出する部位に対して応力が働くことがある。この応力によって同部位が急激に曲がってしまうことがある。この場合において、信号ケーブルの延出部位に加わる急激な曲げ応力に起因して、内部の信号ケーブルが断線してしまうこともある。
【０００６】
したがって、従来の内視鏡用撮像装置においては、カメラヘッド部から信号ケーブルが延出する部位に弾性部材などからなる折れ止め部材を設けている。これによって、内部の信号ケーブルを断線等から保護するようにしているものがある。そして、この折れ止め部材と、この折れ止め部材の内部に挿通される信号ケーブルの外皮との界面には、それぞれの内外径が寸法的に密着する状態としているか、または両者を接着することによって両者間に隙間がないように固定した形態のものが普通である。
【０００７】
例えば、特開平１０−２８６２２８号公報によって開示されている内視鏡用撮像装置は折れ止め部を信号ケーブルが方向性を持つように構成することで信号ケーブルの耐屈曲製を向上させるようにしたものである。
【０００８】
また、内視鏡の挿入部と操作部との間の接続部には、挿入部の折れ止めを防ぐために同様の弾性部材等からなる折れ止め部材を設けて構成しているものがある。例えば特開２０００−１１６５９３号公報や特開２００１−３２１３２７号公報や特開平５−２２８０９７号公報においては、内視鏡の挿入部と折れ止め部とを一体的に成型したり、折れ止め部の外周側に外装とのシール部分を形成する構成についての開示がなされている。
【特許文献１】特開平１０−２８６２２８号公報
【特許文献２】特開２０００−１１６５９３号公報
【特許文献３】特開２００１−３２１３２７号公報
【特許文献４】特開平５−２２８０９７号公報
【発明の開示】
【発明が解決しようとする課題】
【０００９】
ところが、上記特開平１０−２８６２２８号公報によって開示されている手段によれば、例えば折れ止め部材の内面側とケーブル外皮とが曲げなどによってずれた場合には、曲がり防止効果が低減することになる。また、より強力な接着剤を用いて折れ止め部材と信号ケーブルの外皮との界面を接着した場合には、例えば修理を施す際に分解することができないという問題が生じてしまう。
【００１０】
一方、上記特開２０００−１１６５９３号公報や特開２００１−３２１３２７号公報や特開平５−２２８０９７号公報による手段は、主に内視鏡の挿入部と折れ止め部との構成に適用されるものである。したがって、これを内視鏡撮像装置に適用する場合には、信号ケーブルのシールド層の接続手段について考慮する必要がある。このことから、上記各公報に記載の手段を内視鏡撮像装置に適用するためには、さらなる工夫が必要になる。
【００１１】
本発明は、上述した点に鑑みてなされたものであって、その目的とするところは、内視鏡用撮像装置の信号ケーブルを保護する機能を維持しながら、良好な組立性を確保し確実な防水性を得ることができ、かつ修理等のための分解及び組み立てをおこなうことを容易とする構成の折れ止め部を備えた内視鏡用撮像装置を提供することである。
【課題を解決するための手段】
【００１２】
上記目的を達成するために、本発明による内視鏡用撮像装置は、撮像ユニットと前記撮像ユニットから延出する信号ケーブルとを備えると共に前記信号ケーブルの延出部位近傍に設けられ前記信号ケーブルを保護するケーブル保護部材を有する内視鏡用撮像装置において、前記ケーブル保護部材は、内面においては前記信号ケーブルの外皮の表面上に直接密着するように成型され、外面においては当該内視鏡用撮像装置の外装部材との間に水密シール部を介して接続され、かつ前記信号ケーブルの先端側を所定の長さだけ突出させて成型されており、前記信号ケーブルの前記先端突出部位の外表面上には、ケーブルシールド層と金属部材とが設けられ、前記ケーブルシールド層及び前記金属部材は、当該内視鏡用撮像装置側の金属部材との間で導通するように構成されていることを特徴とする。
【発明の効果】
【００１３】
本発明によれば、内視鏡用撮像装置の信号ケーブルを保護する機能を維持しながら、良好な組立性を確保し確実な防水性を得ることができ、かつ修理等のための分解及び組み立てをおこなうことを容易とする構成の折れ止め部を備えた内視鏡用撮像装置を提供することができる。
【発明を実施するための最良の形態】
【００１４】
以下、図示の実施の形態によって本発明を説明する。  
図１は、本発明の第１の実施形態の内視鏡用撮像装置を適用する内視鏡システムの概略を示すシステム構成図である。図２は、図１の内視鏡システムにおける内視鏡用撮像装置の一部（折れ止め部近傍）を拡大して示す要部拡大断面図である。
【００１５】
本実施形態の内視鏡用撮像装置が適用される内視鏡システム１は、図１に示すような内視鏡システムに適用されるものである。この内視鏡システム１は、光学的な内視鏡像を観察する内視鏡接眼部２ａを備えた内視鏡２と、この内視鏡２の内視鏡接眼部２ａに着脱自在に接続され得るように構成され内部に撮像光学系３ａ及び撮像素子３ｂ等からなる撮像ユニット１０とこの撮像ユニット１０から延出され各種の電気信号の伝達をおこなう信号ケーブル１９が挿通されるカメラケーブル４とを具備する内視鏡用撮像装置３と、上記カメラケーブル４の一端部が接続され本内視鏡システム１の全体を統括的に制御する制御装置５と、この制御装置５からケーブル６ａを介して出力される映像信号を受けて内視鏡画像を表示する表示装置６と、内視鏡２との間でライトガイドケーブル８を介して接続され被検体を照明するための照明光束を出射する光源装置７等によって主に構成されている。
【００１６】
このように構成される内視鏡システム１に適用される本実施形態の内視鏡用撮像装置３においては、この内視鏡用撮像装置３とカメラケーブル４との接続部位に折れ止め部９が設けられている。この折れ止め部９近傍の構成及びその内部構成について、図２を用いて以下に詳述する。
【００１７】
上述したように本実施形態の内視鏡用撮像装置３の内部には、撮像光学系３ａや撮像素子３ｂ等（図２では図示せず。図１参照）からなる撮像ユニット１０が配設されている。この撮像ユニット１０は、図２に示すように金属製の撮像ユニットケース１４によって外部から保護されている。
【００１８】
撮像ユニットケース１４の後端部（カメラケーブル４が接続される側の端部）には、複数の電気接点ピン１２を具備するハーメチックコネクタ１３が、例えばレーザー溶接等の接合手段を用いて気密的に接合されている。なお、図２では図面の煩雑化を避けるために複数の電気接点ピン１２についての図示を省略し、一部のみを図示するにとどめている。
【００１９】
ハーメチックコネクタ１３の一方の面（撮像ユニット１０の内部空間に対向する面）には、フレキシブル基板１５が半田付けされている。このフレキシブル基板１５には、撮像素子３ｂが電気的に接続されていると共に、この撮像素子３ｂの駆動回路等が実装されている。
【００２０】
ハーメチックコネクタ１３にはレセプタクル１６の一方の面が係合している。このレセプタクル１６は、筒形状の金属枠１７の内周側の一端縁部に螺合固定されているナット部１８によって固定されている。また、金属枠１７の他端部にはケーブル挿通孔１７ｂが穿設されている。このケーブル挿通孔１７ｂは、金属枠１７の最大外径よりも小径に形成される孔部であって、この孔部に上記信号ケーブル１９が挿通するようになっている。
【００２１】
そして、レセプタクル１６と金属枠１７と信号ケーブル１９とによってケーブルユニット１１が構成されている。
【００２２】
なお、信号ケーブル１９は、外皮２１とケーブルシールド層であるシールド編組２２と複数のケーブル芯線２０とによって形成されている。これにより、上記ケーブル挿通孔１７ｂは外皮２１の最大直径と略同等か、これより若干大径となるように設定されている。また、ケーブル挿通孔１７ｂの周縁部には突設部１７ｃが形成されている。
【００２３】
また、金属枠１７の外周側には、外装部材の一部を構成する後端外装部材３０が配設されている。金属枠１７はハーメチックコネクタ１３後端の内周側に嵌合し、後端外装部材３０によって固定されている。
【００２４】
レセプタクル１６の他方の面（ハーメチックコネクタ１３との係合面とは反対側の面）には、上記金属枠１７のケーブル挿通孔１７ｂを挿通して同金属枠１７内に引き入れられた後の信号ケーブル１９の複数のケーブル芯線２０がそれぞれ半田付けされている。なお、金属枠１７の内部には、図２に示すように上記複数のケーブル芯線２０の余裕長を含む長さ分を収容し得る芯線収容部１７ａが確保されている。
【００２５】
信号ケーブル１９のシールド編組２２は、先端部が外皮２１よりも突出するようにその長さ寸法が設定されている。このシールド編組２２の突出部分は、外皮２１の先端部の内周側から最先端部を覆い、さらに外皮２１の先端部近傍の外周側の一部を覆うように折り返されている。そして、同シールド編組２２の折り返し部分には、外周側から覆い被せるように金属部材からなる金属環２３が設けられている。この金属環２３は、信号ケーブル１９の先端部にてカシメ固定されている。この状態で信号ケーブル１９の先端部は、金属枠１７のケーブル挿通孔１７ｂに嵌合している。
【００２６】
したがって、これにより本実施形態の内視鏡用撮像装置３における信号ケーブル１９の電磁シールドは、シールド編組２２と金属枠１７とハーメチックコネクタ１３と撮像ユニットケース１４とによって形成されている。
【００２７】
なお、金属環２３は組み立て時において、予め金属枠１７の突設部１７ｃのケーブル挿通孔１７ｂの内部に収容されるようになっている。この場合において、金属環２３は、突設部１７ｃの内側のケーブル挿通孔１７ｂ内において後端寄りに形成される段部１７ｃｃに当接することで、ケーブル挿通孔１７ｂ内における金属環２３の位置決めがなされている。そして、金属環２３は、金属枠１７の側面がわ（金属枠１７の軸方向；信号ケーブル１９の挿通方向に対して直交する方向）から挿通する複数のビス２６によって締付固定されている。このビス２６を介して金属環２３と金属枠１７との接地（ＧＮＤ；グランド）がなされるようになっている。
【００２８】
金属枠１７の後端側（の突設部１７ｃ）の外周側から外皮２１の先端近傍の外周側にかけての部位には、ケーブル保護部材である折れ止め部材２７が設けられている。この折れ止め部材２７は、例えばエラストマー材料等によって成型される構成物である。折れ止め部材２７の内周面は上記外皮２１と略一体的となるように密着した状態となっており、これによって、両者間の防水性が確保されている。
【００２９】
折れ止め部材２７の基端部には、外周側に突出するフランジ凸部２７ａが全周にわたって設けられている。このフランジ凸部２７ａは後端外装部材３０との間で水密シールをおこなう水密シール部を形成している。
【００３０】
つまり、後端外装部材３０の後端側においては、内側に向けて突出するフランジ部３０ａが形成されている。このフランジ部３０ａと金属枠１７の突き当て段部１７ｄとの間に折れ止め部材２７のフランジ凸部２７ａが挟持される形態で固設されている。これにより、ケーブルユニット１１と撮像ユニット１０とは、上記ビス２６による固定と合わせて強固に一体的に固定されている。
【００３１】
一方、後端外装部材３０の先端側には、段差部３０ｂが形成されている。この段差部３０ｂには、外装部材の一部を構成する中間外装部材３６の一端面が当接している。そして、後端外装部材３０の段差部３０ｂには、中間外装部材３６との当接面に水密シール部となるＯリング３５が配設されている。これにより、後端外装部材３０と中間外装部材３６との間の水密性が保持されている。
【００３２】
他方、中間外装部材３６の先端側の内周面は、外装部材の一部を構成する先端外装部材３７の一端部が内接している。この先端外装部材３７の一端部の内接面には水密シール用のＯリング３８が配設されている。これにより、中間外装部材３６と先端外装部材３７との間の水密性が保持されている。この場合において、撮像ユニットケース１４の外周縁部にはナット部２４が固設されている。このナット部２４の外周側の部位と先端外装部材３７の一端縁部とによってＯリング３８を保持するためのＯリング溝が形成されている。
【００３３】
なお、後端外装部材３０は主に金属枠１７の外面を覆う保護部材として機能している。また、先端外装部材３７は主に撮像ユニット１０の外面を覆う保護部材として機能している。そして、中間外装部材３６は、上記後端外装部材３０と先端外装部材３７とを連結すると共に、金属枠１７の外面の一部及び撮像ユニット１０の外面の一部をそれぞれ覆う保護部材として機能している。
【００３４】
このように構成される本実施形態の内視鏡用撮像装置３において、例えば修理等のための分解をおこなう際には、次のような手順となる。
【００３５】
まず、後端外装部材３０とハーメチックコネクタ１３との螺合状態を解除し、後端外装部材３０を後方に下げる。これにより、後端外装部材３０とハーメチックコネクタ１３及び中間外装部材３６との間が分離する。
【００３６】
次いで、ハーメチックコネクタ１３とレセプタクル１６との接続状態を解除して、撮像ユニット１０からケーブルユニット１１を分離する。
【００３７】
続いて、ナット部１８を外して、レセプタクル１６をケーブル芯線２０の余裕長分だけ前方に出す。この状態で、複数のケーブル芯線２０の半田を取り外す。
【００３８】
以上のような手順によって、内視鏡用撮像装置３は容易に分解することができる。したがって、例えば信号ケーブル１９の断線に起因する修理の場合には、上述の手順によって内視鏡用撮像装置３を分解した後、信号ケーブル１９を切断して、別の新規の信号ケーブル１９に交換すればよい。この場合には、後端外装部材３０や金属枠１７は故障した信号ケーブル１９から取り外した後、今回交換するべき信号ケーブル１９に取り付けることで問題なく再利用することができることになる。
【００３９】
以上説明したように上記第１の実施形態によれば、ケーブル保護部材である折れ止め部材２７と信号ケーブル１９の外皮２１とが略一体的に密着した状態となるように構成することで、信号ケーブル１９の曲がりを防止する効果を高めることができる。
【００４０】
また、折れ止め部材２７の内外径に設けた水密シール部の構成を単純化することで、水密性を確実に向上させながら部品点数の削減化に寄与することができる。これと同時に、修理等に際しておこなわれる分解組み立て作業を容易におこなうことができるので、補修管理や整備及び保全等、メインテナンス性の向上に寄与することができる。
【００４１】
次に、本発明の第２の実施形態の内視鏡用撮像装置について、以下に説明する。
【００４２】
本実施形態の基本的な構成は、上述の第１の実施形態と略同様である。したがって、上述の第１の実施形態と同様の構成については、同じ符号を用いて説明を省略し、異なる部位についてのみ以下に詳述する。
【００４３】
図３は、本発明の第２の実施形態の内視鏡用撮像装置の一部（折れ止め部近傍）を拡大して示す要部拡大断面図である。
【００４４】
本実施形態の内視鏡用撮像装置３Ａは、上述の第１の実施形態と同様の図１に示すような内視鏡システム１に適用されるものである。
【００４５】
本実施形態の内視鏡用撮像装置３Ａにおける折れ止め部９Ａ近傍の構成及びその内部構成は、図３に示すようになっている。
【００４６】
本実施形態の内視鏡用撮像装置３Ａの内部には、撮像光学系３ａや撮像素子３ｂ等（図３では図示せず。図１参照）からなる撮像ユニット１０が配設されているのは第１の実施形態と同様である。この撮像ユニット１０は、図３に示すように金属製の撮像ユニットケース１４Ａによって外部から保護されている。
【００４７】
撮像ユニットケース１４Ａの後端部（カメラケーブル４が接続される側の端部）には、ハーメチックコネクタ１３Ａが、例えばレーザー溶接等の接合手段を用いて気密的に接合されている。
【００４８】
ハーメチックコネクタ１３Ａの後端面には、レセプタクル１６の一方の面が係合している。このレセプタクル１６の電気接点ピン１２にはケーブル芯線２０が半田付けされている。
【００４９】
また、ハーメチックコネクタ１３Ａの後端部外周縁部には円筒状の嵌合部３９が突設されている。この嵌合部３９の内周面側には、第１金属枠１７Ａが嵌合している。そして、同嵌合部３９に対して第１金属枠１７Ａは、ビス４０によって固定されている。
【００５０】
第１金属枠１７Ａには、上記嵌合部３９と嵌合する側の端部の内周面に内面段部１７Ａａが形成されていて、この内面段部１７Ａａがレセプタクル１６の端面に当接した状態で第１金属枠１７Ａは固定されている。これにより、レセプタクル１６が意図せずに抜去してしまうことを抑止している。
【００５１】
また、第１金属枠１７Ａの後端部は、所定の角度で傾斜した方向に開口している。この開口端部の内周側に第２金属枠１７Ｂが嵌合している。そして、第２金属枠１７Ｂは第１金属枠１７Ａに対して所定のビス（図示せず）によって固定されている。なお、ケーブル芯線２０の長さは、第１金属枠１７Ａと第２金属枠１７Ｂとの内部において充分に余裕を持った長さが設定されている。
【００５２】
信号ケーブル１９は、上述の第１の実施形態と同様に外皮２１とシールド編組２２と複数のケーブル芯線２０とによって形成されており、その組立構成についても上述の第１の実施形態と同様である。
【００５３】
そして、信号ケーブル１９の一端部に設けられる金属環２３は、第２金属枠１７Ｂの後端側に形成される後端小径部１７Ｂｃの内面側に収められるようになっている。このとき、金属環２３が段部１７Ｂｃｃに当接することで、信号ケーブル１９の第２金属枠１７Ｂ、すなわち内視鏡用撮像装置３Ａに対して位置決めされるようになっている。
【００５４】
第２金属枠１７Ｂの後端側（の後端小径部１７Ｂｃ）には、外皮２１の先端近傍の外周側を覆うようにしてケーブル保護部材である折れ止め部材２７Ａが成型されている。この折れ止め部材２７Ａは、例えばエラストマー材料等によって成型される構成物である。折れ止め部材２７Ａの内周面は上記外皮２１と略一体的に密着した状態となっており、これによって、両者間の防水性が確保されている。
【００５５】
なお、折れ止め部材２７Ａの成型は、例えばリール巻き状態のケーブル単体に対して所定の間隔ごとに成型し、使用する分だけ折れ止めケーブルユニットをカットして使用するようにしてもよい。
【００５６】
折れ止め部材２７Ａの基端部には、外周側に突出するフランジ凸部２７Ａａが全周にわたって設けられている。このフランジ凸部２７Ａａは、第２金属枠１７Ｂの後端面と後端外装部材３０Ａのフランジ部３０Ａａとの間に挟持される形態で固定されている。これにより、折れ止め部材２７Ａは、第２金属枠１７Ｂ及び後端外装部材３０Ａとの間で水密的に固定されている。
【００５７】
また、上述したように後端外装部材３０Ａのフランジ部３０Ａａは、第２金属枠１７Ｂとによって折れ止め部材２７Ａのフランジ凸部２７Ａａを挟持することで、折れ止め部材２７Ａ及びケーブル外皮２１の固定をも兼ねている。したがって、ケーブルユニット１１Ａと撮像ユニット１０とは、上記ビス２６による固定と合わせて強固に一体的に固定されている。
【００５８】
後端外装部材３０Ａの先端側端面には段差３０Ａｂが形成されている。この段差３０Ａｂには、断面がＬ字形状の例えばエラストマー材料からなる水密シール部材４１が中間外装部材３６Ａの後端及び内周面がわに配設されている。これにより、中間外装部材３６Ａの後端部と後端外装部材３０Ａとの水密構造が形成されている。
【００５９】
また、後端外装部材３０Ａの基端側の内周面にはネジ部が形成されている。一方、第２金属枠１７Ｂの基端側の外周面上には後端外装部材３０Ａの内周ネジ部に対応するネジ部が形成されている。後端外装部材３０Ａの内周ネジ部と第２金属枠１７Ｂの外周ネジ部とが螺合することで両者は連結されている。その他の構成は、上述の第１の実施形態と略同様である。
【００６０】
このように構成される本実施形態の内視鏡用撮像装置３Ａにおいて、例えば修理等のための分解をおこなう際には、次のような手順となる。
【００６１】
まず、後端外装部材３０Ａと第２金属枠１７Ｂとの螺合状態を解除し、後端外装部材３０を後方に下げる。これにより、後端外装部材３０と第２金属枠１７Ｂとの間が分離する。
【００６２】
次いで、中間外装部材３６Ａを後方に下げる。
【００６３】
次に、ビス２６を緩めて第２金属枠１７Ｂと折れ止め部材２７Ａとの連結を解除する。そして、折れ止め部材２７Ａ及びケーブルユニット１１Ａを、ケーブル芯線２０の余裕長分だけ後方に下げる。
【００６４】
続いて、第２金属枠１７Ｂと第１金属枠１７Ａとを固定するビス（図示せず）を外して、第２金属枠１７Ｂを後方に下げる。次いで、ナット部２４を外して先端外装部材３７Ａ（図３参照）を下げる。さらに、ビス４０を外して第１金属枠１７Ａを後方に下げる。
【００６５】
次に、ハーメチックコネクタ１３Ａとレセプタクル１６との接続状態を解除して、撮像ユニット１０からケーブルユニット１１Ａを分離する。そして、複数のケーブル芯線２０の半田を取り外す。
【００６６】
以上のような手順によって、内視鏡用撮像装置３Ａは容易に分解することができる。そして、例えば信号ケーブル１９の断線に起因する修理の場合には、ケーブルユニット１１の基端側から各部材を外していき、断線修理後、再度組み立て直すことにより各部材を再度利用することができる。
【００６７】
以上説明したように上記第２の実施形態によれば、上述の第１の実施形態と同様の効果を得ることができる。
【００６８】
また、ケーブル外皮２１と折れ止め部材２７Ａとを予め略一体的に密着した状態で形成するようにしたので、半組立製品をゴム成型機にセットする必要がない。
【図面の簡単な説明】
【００６９】
【図１】本発明の第１の実施形態の内視鏡用撮像装置を適用する内視鏡システムの概略を示すシステム構成図。
【図２】図１の内視鏡システムにおける内視鏡用撮像装置の一部（折れ止め部近傍）を拡大して示す要部拡大断面図。
【図３】本発明の第２の実施形態の内視鏡用撮像装置の一部（折れ止め部近傍）を拡大して示す要部拡大断面図。
【符号の説明】
【００７０】
１……内視鏡システム
２……内視鏡
２ａ……内視鏡接眼部
３……内視鏡用撮像装置
３ａ……撮像光学系
３ｂ……撮像素子
４……カメラケーブル
５……制御装置
６……表示装置
６ａ……ケーブル
７……光源装置
８……ライトガイドケーブル
９，９Ａ……折れ止め部
１０……撮像ユニット
１１，１１Ａ……ケーブルユニット
１２……電気接点ピン
１３，１３Ａ……ハーメチックコネクタ
１４，１４Ａ……撮像ユニットケース
１５……フレキシブル基板
１６……レセプタクル
１７……金属枠
１７ａ……芯線収容部
１７Ａ……第１金属枠
１７Ｂ……第２金属枠
１９……信号ケーブル
２０……ケーブル芯線
２１……外皮
２２……シールド編組
２３……金属環
２７，２７Ａ……折れ止め部材
３０，３０Ａ……後端外装部材
３６，３６Ａ……中間外装部材
３７，３７Ａ……先端外装部材
３５，３８……Ｏリング
４１……水密シール部材
代理人弁理士伊藤進
【図１】
2006130238.tif 000003
【図２】
2006130238.tif 000004
【図３】
2006130238.tif 000005